(57)【要約】【課題】消泡性および液安定性に優れた液体洗浄剤組成物の提供。【解決手段】Ｒ１−Ｘ１−（ＥＯ）ｎ−Ｒ２で表されるノニオン界面活性剤（Ａ）、Ｒ１１−Ｘ２−［（ＥＯ）ｓ／（ＰＯ）ｔ／（ＢＯ）ｕ］−Ｒ１２で表されるノニオン界面活性剤（Ｂ）を含み、界面活性剤の総質量に対する（Ｂ）成分の含有量が０．０２質量％以上、液体洗浄剤組成物の総質量に対する（Ｂ）成分の含有量が４．５質量％以下である、液体洗浄剤組成物。Ｒ１は炭素数８〜１８の炭化水素基、Ｒ１１は炭素数８〜２４の炭化水素基、Ｘ１、Ｘ２は−Ｏ−、−Ｃ（Ｏ）Ｏ−または−Ｃ（Ｏ）ＮＨ−、Ｒ２、Ｒ１２は水素原子、炭素数１〜６のアルキル基、または炭素数２〜６のアルケニル基、ＥＯはオキシエチレン基、ＰＯはオキシプロピレン基、ＢＯはオキシブチレン基、ｎは３〜２０、ｓは１〜３０、ｔは０〜２０、ｕは１〜２０。【選択図】なし【特許請求の範囲】
【請求項１】
（Ａ）成分：下式（ａ）で表されるノニオン界面活性剤、及び
（Ｂ）成分：下式（ｂ）で表されるノニオン界面活性剤を含有し、
界面活性剤（高級脂肪酸塩を除く。）の総質量に対する（Ｂ）成分の含有量が０．０２質量％以上であり、液体洗浄剤組成物の総質量に対する（Ｂ）成分の含有量が４．５質量％以下である、液体洗浄剤組成物。
Ｒ１−Ｘ１−[（ＥＯ）ｎ／（ＰＯ）ｍ]−Ｒ２  ・・・（ａ）
（式（ａ）中、Ｒ１は炭素数８〜１８の炭化水素基であり、Ｘ１は−Ｏ−、−Ｃ（Ｏ）Ｏ−または−Ｃ（Ｏ）ＮＨ−であり、Ｒ２は水素原子、炭素数１〜６のアルキル基、または炭素数２〜６のアルケニル基である。ＥＯはオキシエチレン基、ＰＯはオキシプロピレン基であり、ｎはＥＯの平均繰返し数を表し、３〜２０の数であり、ｍはＰＯの平均繰返し数を表し、０〜１０の数である。）
Ｒ１１−Ｘ２−［（ＥＯ）ｓ／（ＰＯ）ｔ／（ＢＯ）ｕ］−Ｒ１２  ・・・（ｂ）
（式（ｂ）中、Ｒ１１は炭素数８〜２４の炭化水素基であり、Ｘ２は−Ｏ−、−Ｃ（Ｏ）Ｏ−または−Ｃ（Ｏ）ＮＨ−であり、Ｒ１２は水素原子、炭素数１〜６のアルキル基、または炭素数２〜６のアルケニル基である。ＥＯはオキシエチレン基であり、ＰＯはオキシプロピレン基、ＢＯはオキシブチレン基であり、ｓはＥＯの平均繰返し数を表し１〜３０の数、ｔはＰＯの平均繰返し数を表し０〜２０の数、ｕはＢＯの平均繰返し数を表し１〜２０の数である。）
【請求項２】
さらに（Ｃ）成分：高級脂肪酸塩を含む、請求項１に記載の液体洗浄剤組成物。
【発明の詳細な説明】
【技術分野】
【０００１】
本発明は液体洗浄剤組成物に関する。
【背景技術】
【０００２】
近年の環境負荷に対する意識の高まりから、消泡性が良く、少量の水ですすぐことができる洗浄剤が求められている。
洗浄剤の中には、高級脂肪酸塩（石けん）やシリコーン系消泡剤等の泡コントロール剤を配合することで、洗浄剤の泡立ちを抑えたり、生じた泡を破泡したりして、消泡性の改善を図っているものがある。
特許文献１では、シリコーン抑泡剤及び特定の脂肪酸エステルを含有する液体洗剤組成物が提案されている。
特許文献２では、直鎖状脂肪酸のエステルと界面活性剤とを所定の比率で含有する洗浄剤が提案されている。
【先行技術文献】
【特許文献】
【０００３】
【特許文献１】特表平１１−５１３０６６号公報
【特許文献２】特開２０１３−９１７８２号公報
【発明の概要】
【発明が解決しようとする課題】
【０００４】
しかしながら、高級脂肪酸塩やシリコーン系消泡剤の添加は、液安定性を低下させる場合がある。液安定性が低下すると保存中に分離や析出などが生じて外観が悪化しやすい。
本発明は、消泡性および液安定性に優れた液体洗浄剤組成物の提供を目的とする。
【課題を解決するための手段】
【０００５】
本発明は以下の態様を有する。
［１］（Ａ）成分：下式（ａ）で表されるノニオン界面活性剤、及び（Ｂ）成分：下式（ｂ）で表されるノニオン界面活性剤を含有し、
界面活性剤（高級脂肪酸塩を除く。）の総質量に対する（Ｂ）成分の含有量が０．０２質量％以上であり、液体洗浄剤組成物の総質量に対する（Ｂ）成分の含有量が４．５質量％以下である、液体洗浄剤組成物。
Ｒ１−Ｘ１−[（ＥＯ）ｎ／（ＰＯ）ｍ]−Ｒ２  ・・・（ａ）
（式（ａ）中、Ｒ１は炭素数８〜１８の炭化水素基であり、Ｘ１は−Ｏ−、−Ｃ（Ｏ）Ｏ−または−Ｃ（Ｏ）ＮＨ−であり、Ｒ２は水素原子、炭素数１〜６のアルキル基、または炭素数２〜６のアルケニル基である。ＥＯはオキシエチレン基、ＰＯはオキシプロピレン基であり、ｎはＥＯの平均繰返し数を表し、３〜２０の数である。ｍはＰＯの平均繰返し数を表し、０〜１０の数である。）
Ｒ１１−Ｘ２−［（ＥＯ）ｓ／（ＰＯ）ｔ／（ＢＯ）ｕ］−Ｒ１２  ・・・（ｂ）
（式（ｂ）中、Ｒ１１は炭素数８〜２４の炭化水素基であり、Ｘ２は−Ｏ−、−Ｃ（Ｏ）Ｏ−または−Ｃ（Ｏ）ＮＨ−であり、Ｒ１２は水素原子、炭素数１〜６のアルキル基、または炭素数２〜６のアルケニル基である。ＥＯはオキシエチレン基であり、ＰＯはオキシプロピレン基、ＢＯはオキシブチレン基であり、ｓはＥＯの平均繰返し数を表し１〜３０の数、ｔはＰＯの平均繰返し数を表し０〜２０の数、ｕはＢＯの平均繰返し数を表し１〜２０の数である。）
［２］さらに（Ｃ）成分：高級脂肪酸塩を含む、［１］の液体洗浄剤組成物。
【０００６】
［３］液体洗浄剤組成物の総質量に対する（Ｃ）成分の含有量が０．０１〜２０質量％である、［２］の液体洗浄剤組成物。
［４］（Ａ）成分の含有量に対する（Ｂ）成分の含有量の質量比を表す（Ｂ）／（Ａ）が０．０１〜０．２である、［１］〜［３］のいずれかの液体洗浄剤組成物。
［５］（Ｂ）成分の含有量に対する（Ｃ）成分の含有量の質量比を表す（Ｃ）／（Ｂ）が０．１〜０．６である、［１］〜［４］のいずれかの液体洗浄剤組成物。
【発明の効果】
【０００７】
本発明によれば、消泡性および液安定性に優れた液体洗浄剤組成物を提供できる。
【発明を実施するための形態】
【０００８】
（液体洗浄剤組成物）
本発明の液体洗浄剤組成物（以下、単に液体洗浄剤ということがある）は、（Ａ）成分および（Ｂ）成分を含有する。さらに（Ｃ）成分を含有することが好ましい。
【０００９】
＜（Ａ）成分＞
（Ａ）成分は、下式（ａ）で表されるノニオン界面活性剤である。（Ａ）成分は１種類を単独で用いてもよく、２種類以上を組合せて用いてもよい。（Ａ）成分は、常法により製造されてもよいし、市販品を用いてもよい。
Ｒ１−Ｘ１−[（ＥＯ）ｎ／（ＰＯ）ｍ]−Ｒ２  ・・・（ａ）
【００１０】
Ｒ１は炭素数８〜１８の１価の炭化水素基である。Ｒ１の炭素数は、特に良好な洗浄力が得られやすい点で１０〜１８が好ましい。Ｒ１は、直鎖状でもよく分岐鎖状でもよく、環状の構造を含んでもよい。Ｒ１は飽和炭化水素基でもよく、不飽和結合を有していてもよい。
Ｒ１は、脂肪族炭化水素基が好ましく、直鎖もしくは分岐鎖のアルキル基、又は直鎖もしくは分岐鎖のアルケニル基がより好ましい。
Ｒ１としての炭化水素基は、１級又は２級の高級アルコール、高級脂肪酸、高級脂肪酸アミド等の原料に由来するものが挙げられる。具体的には、１級又は２級の高級アルコールからＯＨ基を除いた残基、高級脂肪酸からＣ（Ｏ）ＯＨ基を除いた残基、高級脂肪酸アミドからＣ（Ｏ）ＮＨ２基を除いた残基等である。
【００１１】
Ｒ２は水素原子、炭素数１〜６のアルキル基、または炭素数２〜６のアルケニル基である。アルキル基の炭素数は１〜３が好ましい。アルケニル基の炭素数は２〜３が好ましい。
Ｘ１は−Ｏ−、−Ｃ（Ｏ）Ｏ−または−Ｃ（Ｏ）ＮＨ−である。
ＥＯはオキシエチレン基を表す。ｎはＥＯの平均繰返し数を表し、３〜２０の数である。ｎは、好ましくは５〜１８の数であり、１４〜１８の数がより好ましい。ｎが２０を超えるとＨＬＢ値が高くなりすぎて、洗浄力が低下する傾向にある。ｎが３未満であると、（Ａ）成分自体の原料臭気が劣化しやすくなる傾向にある。
ＰＯはオキシプロピレン基を表す。ｍはＰＯの平均繰返し数を表し、０〜１０の数である。ｍは、好ましくは０〜６の数であり、０〜３の数がより好ましい。ｍが１０以下であると生分解性に優れる。
【００１２】
Ｘ１が−Ｏ−のとき、（Ａ）成分はアルコールアルコキシレートである。この場合、洗浄力が良好であることから、Ｒ１の炭素数は１０〜１８が好ましい。Ｒ１は不飽和結合を有していてもよい。この場合において、Ｒ２は水素原子であることが好ましい。
【００１３】
Ｘ１が−Ｃ（Ｏ）Ｏ−であるとき、（Ａ）成分は脂肪酸エステル型非イオン界面活性剤である。この場合、洗浄力が良好であることから、Ｒ１の炭素数は９〜１８が好ましく、１１〜１８がより好ましい。Ｒ１は不飽和結合を有していてもよい。また、この場合において、Ｒ２は炭素数１〜３のアルキル基であることが好ましい。
Ｘ１が−Ｃ（Ｏ）Ｏ−である化合物としては、Ｒ２が炭素数１〜６のアルキル基である化合物、すなわちポリオキシエチレン脂肪酸アルキルエステルが好ましく、Ｒ２がメチル基であるポリオキシエチレン脂肪酸メチルエステルがより好ましい。
【００１４】
（Ａ）成分として、以下の化合物が好ましい。
式（ａ）において、Ｒ１が炭素数１２のアルキル基または炭素数１４のアルキル基、Ｒ２がＨ、−Ｘ１−が−Ｏ−、ｎが１５である化合物（ＬＭＡＯ）。
式（ａ）において、Ｒ１が炭素数１１のアルキル基又は炭素数１３のアルキル基、Ｒ２がメチル基、−Ｘ１−が−Ｃ（Ｏ）Ｏ−、ｎが１５である化合物（ＭＥＥ）。
【００１５】
液体洗浄剤の総質量に対して、（Ａ）成分の含有量は５〜５０質量％が好ましく、１０〜４０質量％がより好ましい。上記範囲の下限値以上であると洗浄力に優れ、上限値以下であると液安定性に優れる。
【００１６】
＜（Ｂ）成分＞
（Ｂ）成分は、下式（ｂ）で表されるノニオン界面活性剤である。（Ｂ）成分は１種類を単独で用いてもよく、２種類以上を組合せて用いてもよい。（Ｂ）成分は、常法により製造されてもよいし、市販品を用いてもよい。
Ｒ１１−Ｘ２−［（ＥＯ）ｓ／（ＰＯ）ｔ／（ＢＯ）ｕ］−Ｒ１２  ・・・（ｂ）
【００１７】
Ｒ１１は炭素数８〜２４の１価の炭化水素基である。Ｒ１１の炭素数は、特に良好な洗浄力を得られやすい点で１０〜１８が好ましい。Ｒ１１は、直鎖状でもよく分岐鎖状でもよく、環状の構造を含んでもよい。Ｒ１１は飽和炭化水素基でもよく、不飽和結合を有していてもよい。
Ｒ１１は、脂肪族炭化水素基が好ましく、直鎖もしくは分岐鎖のアルキル基、又は直鎖もしくは分岐鎖のアルケニル基がより好ましい。
【００１８】
Ｘ２は−Ｏ−、−Ｃ（Ｏ）Ｏ−または−Ｃ（Ｏ）ＮＨ−である。酸性下での消泡性に優れる点で−Ｏ−が好ましい。
Ｒ１２は水素原子、炭素数１〜６のアルキル基、または炭素数２〜６のアルケニル基である。アルキル基の炭素数は１〜３が好ましい。アルケニル基の炭素数は２〜３が好ましい。
Ｘ１１が−Ｏ−のとき、Ｒ１２は水素原子であることが好ましい。
【００１９】
ＥＯはオキシエチレン基を表し、ＰＯはオキシプロピレン基を表し、ＢＯはオキシブチレン基を表す。
式中のｓはＥＯの平均繰り返し数であり、ｔはＰＯの平均繰り返し数であり、ｕはＢＯの平均繰り返し数である。ｓ、ｔ及びｕは、それぞれ加重平均値を意味する。ｓ、ｔ及びｕは、例えばガスクロマトグラフ質量分析計を用いて測定することができる。
ｓは１〜３０の数であり、好ましくは５〜２０の数であり、より好ましくは６〜１６の数であり、７〜９の数が特に好ましい。ｓが３０を超えると、ＨＬＢ値が高くなりすぎて、洗浄力が低下する傾向にある。一方、ｓが１未満であると、（Ｂ）成分自体の原料臭気が劣化しやすくなる傾向にある。
ｔは０〜２０の数であり、好ましくは０〜５の数であり、より好ましくは０〜３の数である。ｔが２０以下であると生分解性に優れる。
ｕは１〜２０の数であり、好ましくは１〜３の数であり、より好ましくは１〜２の数である。ｕが１以上であると消泡性に優れる。ｕが２０以下であると生分解性に優れる。
ｓとｔとｕの合計は５〜３１が好ましく、６〜２１がより好ましく、７〜１７がさらに好ましく、８〜１０が特に好ましい。
［（ＥＯ）ｓ／（ＰＯ）ｔ／（ＢＯ）ｕ］において、ＥＯとＰＯとＢＯはランダム状に配列していてもよく、ブロック状に配列していてもよい。
【００２０】
（Ｂ）成分として、以下の化合物が好ましい。
式（ｂ）において、Ｒ１１が炭素数９〜１１のアルキル基、Ｒ１２がＨ、−Ｘ２−が−Ｏ−、ｓが７〜９、ｔが０〜１、ｕが１、ｓとｔとｕの合計が８〜１０である化合物。
【００２１】
液体洗浄剤の総質量に対して、（Ｂ）成分の含有量は４．５質量％以下であり、０．１〜４質量％が好ましく、０．５〜３．５質量％がより好ましく、１〜３質量％がさらに好ましい。上記範囲の下限値以上であると消泡性に優れ、上限値以下であると液安定性に優れる。
（Ａ）成分の含有量に対する（Ｂ）成分の含有量の質量比を表す（Ｂ）／（Ａ）は０．０１〜０．２が好ましく、０．０５〜０．１５がより好ましい。上記範囲の下限値以上であると消泡性に優れ、上限値以下であると液安定性に優れる。
【００２２】
液体洗浄剤中の界面活性剤（高級脂肪酸塩を除く。）の総質量に対して、（Ｂ）成分の含有量は０．０２質量％以上であり、０．０４〜０．１７質量％が好ましく、０．０６〜０．１４質量％がより好ましく、０．０８〜０．１２質量％がさらに好ましい。上記範囲の下限値以上であると消泡性に優れ、上限値以下であると液安定性に優れる。
液体洗浄剤の総質量に対して、界面活性剤の総質量は１０〜６０質量％が好ましく、１５〜５０質量％がより好ましく、２０〜３０質量％がさらに好ましい。上記範囲の下限値以上であると洗浄力に優れ、上限値以下であると液安定性に優れる。
【００２３】
＜（Ｃ）成分＞
（Ｃ）成分は高級脂肪酸塩である。本明細書において、高級脂肪酸とは、炭素数８〜２２の脂肪酸を意味する。（Ｃ）成分は消泡性の向上に寄与する。
（Ｃ）成分としては、例えば、炭素数１０〜２０の高級脂肪酸塩が挙げられ、炭素数１０〜１６の高級脂肪酸塩が好ましい。
（Ｃ）成分は、アルカリ金属塩（ナトリウム塩、カリウム塩等）、アミン塩、またはアンモニウム塩が好ましい。
（Ｃ）成分は１種類を単独で用いてもよく、２種類以上を組合せて用いてもよい。
【００２４】
（Ｃ）成分の含有量は、液体洗浄剤の総質量に対し０．０１〜２０質量％が好ましく、０．０３〜１０質量％がより好ましく、０．０５〜５質量％がさらに好ましく、０．１〜３質量％が特に好ましい。上記下限値以上であると消泡性の向上効果に優れ、上限値以下であると液体洗浄剤の安定性に優れる。
（Ｂ）成分の含有量に対する（Ｃ）成分の含有量の質量比を表す（Ｃ）／（Ｂ）は０．１〜０．６が好ましく、０．２〜０．４がより好ましい。上記範囲の下限値以上であると消泡性に優れ、上限値以下であると液安定性に優れる。
【００２５】
＜その他の任意成分＞
本発明の液体洗浄剤は、上記の成分および水以外に、液体洗浄剤の分野で公知の成分を本発明の効果を損なわない範囲で含有させることができる。
その他の任意成分として、例えば、（Ａ）成分および（Ｂ）成分のいずれにも該当しないノニオン界面活性剤、アニオン界面活性剤、カチオン界面活性剤、両性界面活性剤、酵素、ｐＨ調整剤、水混和性有機溶媒、金属イオン捕捉剤、酸化防止剤、防腐剤、風合い向上剤、移染防止剤、再汚染防止剤、パール剤、ソイルリリース剤、ハイドロトロープ剤、着香剤、着色剤、乳濁剤、蛍光剤、エキス等が挙げられる。
【００２６】
ｐＨ調整剤としては、塩酸、硫酸、リン酸等の無機酸、水酸化ナトリウム、水酸化カリウム、アルカノールアミン、アンモニア等が挙げられる。これらのなかでも、液体洗浄剤の経時安定性の面から、硫酸、水酸化ナトリウム、水酸化カリウム、アルカノールアミンが好ましく、硫酸、水酸化ナトリウムが好ましい。ｐＨ調整剤は、１種を単独で用いてもよく、２種以上を併用してもよい。
【００２７】
「水混和性有機溶媒」とは、２５℃のイオン交換水１Ｌに５０ｇ以上溶解する有機溶媒であり、液体洗浄剤の分野において公知のものを使用できる。
例えば、エタノール、１−プロパノール、２−プロパノール、１−ブタノール等の炭素数２〜４の一価アルコール；エチレングリコール、プロピレングリコール、ブチレングリコール、トリエチレングリコール、テトラエチレングリコール、平均分子量約２００〜５０００のポリエチレングリコール、メトキシポリエチレングリコール、グリセリン等の炭素数２〜４の多価アルコール；及び
エチレングリコールモノブチルエーテル、エチレングリコールモノヘキシルエーテル、エチレングリコールモノフェニルエーテル、プロピレングリコールモノフェニルエーテル、ジエチレングリコールモノメチルエーテル、ジエチレングリコールモノブチルエーテル、ダイセル社製セルトールＥＤＧＡＣ（ジエチレングリコールモノエチルエーテルアセテート）等のグリコールエーテル系溶剤が挙げられる。
【００２８】
金属イオン捕捉剤としては、マロン酸、コハク酸、リンゴ酸、ジグリコール酸、酒石酸、クエン酸等が挙げられる。金属イオン捕捉剤は１種単独で用いてもよく、２種以上を組み合わせてもよい。
液体洗浄剤の総質量に対して、金属イオン捕捉剤の含有量は０．１〜１０質量％が好ましく、１〜５質量％がより好ましい。
【００２９】
その他の任意成分の合計の含有量は特に限定されないが、例えば、液体洗浄剤の総質量に対し、２０質量％以下が好ましく、１５質量％以下がより好ましく、１２質量％以下がさらに好ましく、９質量％以下が特に好ましい。
本発明の液体洗浄剤の各成分の含有量の合計は、１００質量％を超えない。
【００３０】
本発明の液体洗浄剤は、２５℃におけるｐＨが２〜１０であり、３〜９が好ましく、４〜８がさらに好ましい。液体洗浄剤のｐＨが上記範囲内であると、液安定性に優れる。液体洗浄剤のｐＨは、必要に応じて、ｐＨ調整剤を添加することにより調整できる。
なお、本明細書において、ｐＨは、測定対象を２５℃とし、ｐＨメーター（製品名：ＨＭ−３０Ｇ、東亜ディーケーケー株式会社製）により測定される値を意味する。
【００３１】
＜製造方法＞
本発明の液体洗浄剤は、従来公知の液体洗浄剤の製造方法に準じて製造することができる。例えば、分散媒である水の一部に、ｐＨ調整剤を除く各成分を加えて混合した後、ｐＨ調整剤を添加してｐＨを調整した後、水の残部を加えて全体量を１００質量％として、液体洗浄剤とする。
【００３２】
＜使用方法＞
本発明の液体洗浄剤は、例えば、衣料用洗浄剤、食器用洗浄剤、台所用洗浄剤、風呂用洗浄剤、トイレ洗浄剤等として用いられる。
衣料用洗浄剤には、より少ない水で、より速やかに消泡することが求められる。また、使用感の点からは適度に泡立つことが好まれる。本発明の液体洗浄剤は、これらの要求特性に対して効果を発揮し、衣料用洗浄剤として好適に用いられる。
衣料用の液体洗浄剤の使用方法としては、例えば、液体洗浄剤を単独で、又は公知の漂白剤や柔軟剤と共に水に入れて洗浄液とし、この洗浄液に被洗物を入れ洗濯機で洗浄する方法、洗浄液に被洗物を一定時間漬け置きした後、その後、洗濯機で洗浄する方法等が挙げられる。
【００３３】
本発明の液体洗浄剤は、（Ａ）成分と（Ｂ）成分を含み、界面活性剤の総質量が１０〜６０質量％、（Ａ）成分の含有量が５〜５０質量％、（Ｂ）成分の含有量が４．５質量％以下、界面活性剤の総質量に対する（Ｂ）成分の含有量が０．０２質量％以上であり、（Ｂ）／（Ａ）が０．０１〜０．２であることが好ましい。
（Ａ）成分と（Ｂ）成分を含み、界面活性剤の総質量が１０〜３０質量％の場合、（Ａ）成分の含有量は５〜３０質量％が好ましく、１０〜２５質量％がより好ましく、１５〜２０質量％がさらに好ましい。（Ｂ）成分の含有量は、４．５質量％以下が好ましく、４質量％以下がより好ましく、３質量％以下がさらに好ましい。面活性剤の総質量に対する（Ｂ）成分の含有量が０．０２質量％以上であり、（Ｂ）／（Ａ）が０．０１〜０．２であることが好ましい。
（Ａ）成分と（Ｂ）成分を含み、界面活性剤の総質量が３０超〜６０質量％の場合、（Ａ）成分の含有量は２５〜５０質量％が好ましく、３０〜４５質量％がより好ましい。（Ｂ）成分の含有量が４．５質量％以下が好ましく、４質量％以下がより好ましく、３質量％以下がさらに好ましい。界面活性剤の総質量に対する（Ｂ）成分の含有量が０．０２質量％以上であり、（Ｂ）／（Ａ）が０．０１〜０．２であることが好ましい。
本発明の液体洗浄剤は、（Ａ）成分と（Ｂ）成分と（Ｃ）成分を含み、界面活性剤の総質量が１０〜６０質量％、（Ａ）成分の含有量が５〜５０質量％、（Ｂ）成分の含有量が４．５質量％以下、界面活性剤の総質量に対する（Ｂ）成分の含有量が０．０２質量％以上であり、（Ｂ）／（Ａ）が０．０１〜０．２、（Ｃ）／（Ｂ）が０．１〜０．６であることが好ましい。
（Ａ）成分と（Ｂ）成分と（Ｃ）成分を含み、界面活性剤の総質量が１０〜３０質量％の場合、（Ａ）成分の含有量は５〜３０質量％が好ましく、１０〜２５質量％がより好ましく、１５〜２０質量％がさらに好ましい。（Ｂ）成分の含有量は、４．５質量％以下が好ましく、４質量％以下がより好ましく、３質量％以下がさらに好ましい。界面活性剤の総質量に対する（Ｂ）成分の含有量が０．０２質量％以上であり、（Ｂ）／（Ａ）が０．０１〜０．２、（Ｃ）／（Ｂ）が０．１〜０．６であることが好ましい。
（Ａ）成分と（Ｂ）成分と（Ｃ）成分を含み、界面活性剤の総質量が３０超〜６０質量％の場合、（Ａ）成分の含有量は２５〜５０質量％が好ましく、３０〜４５質量％がより好ましい。（Ｂ）成分の含有量は４．５質量％以下が好ましく、４質量％以下がより好ましく、３質量％以下がさらに好ましい。（Ｂ）／（Ａ）が０．０１〜０．２、（Ｃ）／（Ｂ）が０．１〜０．６であることが好ましい。
【実施例】
【００３４】
以下に実施例を用いて本発明をさらに詳しく説明するが、本発明はこれら実施例に限定されるものではない。
表１及び２に示す組成に従い、ｐＨ調整剤以外の各成分を混合し、表１及び２に示す液体洗浄剤のｐＨの値となるようｐＨ調整剤を加えて、液体洗浄剤を調製した。
表中の配合量の単位は「質量％」であり、いずれの成分も純分換算量を示す。
表中の空欄はその成分が配合されていないことを示す。
「バランス」は、各例の組成物に含まれる全配合成分の合計の配合量（質量％）が１００質量％となるように水が配合されていることを意味する。
以下に、表中に示した成分について説明する。
【００３５】
＜（Ａ）成分＞
Ａ−１：ＬＭＡＯ：炭素数１２〜１４の天然アルコール（プロクター・アンド・ギャンブル社製、商品名「ＣＯ−１２１４」）に、１５モル相当のエチレンオキシドを付加した化合物。
Ａ−２：ＭＥＥ：Ｃ１１Ｈ２３ＣＯＯ（ＣＨ２ＣＨ２Ｏ）ｎＣＨ３とＣ１３Ｈ２７ＣＯＯ（ＣＨ２ＣＨ２Ｏ）ｎＣＨ３との質量比で８／２の混合物、ｎ＝平均１５、ナロー率３３質量％、合成品。
【００３６】
＜（Ｂ）成分＞
Ｂ−１：式（ｂ）において、ｔが０であり、Ｒ１１が炭素数１０のアルキル基、Ｒ１２がＨ、−Ｘ２−が−Ｏ−、ｓが８、ｕが１である化合物（下記合成例１）。
Ｂ−２：式（ｂ）において、ｔが０であり、Ｒ１１が炭素数１６のアルキル基、Ｒ１２がＨ、−Ｘ２−が−Ｏ−、ｓが１４、ｕが１である化合物（下記合成例２）。
＜（Ｂ’）成分＞
Ｂ’−１：式（ｂ）において、ｕが０であり、Ｒ１１が炭素数１２のアルキル基または炭素数１４のアルキル基、Ｒ１２がＨ、−Ｘ２−が−Ｏ−、ｓが１２、ｔが３、ＥＯとＰＯがブロック状に付加している化合物（商品名「ソフタノールＥＰ１２０３０」，日本触媒化学工業株式会社製）。
【００３７】
＜（Ｃ）成分＞
Ｃ−１：ヤシ脂肪酸ナトリウム（日油社製の商品名「椰子脂肪酸」を水酸化ナトリウムにより中和したもの）。
Ｃ−２：Ｃ１６石けん（パルミチン酸ナトリウム）、試薬、関東化学株式会社製。
【００３８】
＜任意成分＞
シリコーン：ダウケミカル社製、商品名「Ｄｏｗ  Ｃｏｒｎｉｎｇ（登録商標）ＡＦ−８０１４」、シリコーン系消泡剤。
ＬＡＳ：炭素数１０〜１４のアルキル基を有する直鎖状又は分岐鎖状のアルキルベンゼンスルホン酸（ライオン・スペシャリティ・ケミカルズ（株）社製、商品名：ライポン（登録商標）ＬＨ−２００）。
ＰＥＧ：ポリエチレングリコール（水混和性有機溶媒）、ライオン・スペシャリティ・ケミカルズ社製、商品名「ＰＥＧ１０００」。
安息香酸Ｎａ：安息香酸ナトリウム（防腐剤）、東亜合成株式会社製。
ＢＨＴ：ジブチルヒドロキシトルエン（酸化防止剤）、商品名「ＳＵＭＩＬＺＥＲ  ＢＨＴ−Ｒ」、住友化学株式会社製。
クエン酸：関東化学株式会社製、試薬「くえん酸」。
香料：着香剤、特開２００２−１４６３９９号公報の表１１〜１８に記載の香料組成物Ａ。
ｐＨ調整剤（ＮａＯＨ）：鶴見曹達（株）製、商品名：水酸化ナトリウム。
水：イオン交換水。
【００３９】
≪合成例１：Ｂ−１成分の合成≫
デカノールと水酸化カリウム触媒を撹拌しながら昇温し、脱水した。その後、エチレンオキシド、ブチレンオキシドの順に反応させ、冷却して酢酸で中和し、エチレンオキシドの平均付加モル数８、ブチレンオキシドの平均付加モル数１のブロック付加物を得た。
【００４０】
≪合成例２：Ｂ−２成分の合成≫
合成例１において、デカノールをｎ−ヘキサデカノールに変更し、同様の手順でエチレンオキシド、ブチレンオキシドを導入して、エチレンオキシドの平均付加モル数１４、ブチレンオキシドの平均付加モル数１のブロック付加物を得た。
【００４１】
＜液安定性の評価方法＞
液体洗浄剤を円筒ガラス瓶に取り、蓋を閉めて５０℃の恒温槽中で１か月間保存した。保存後の液の外観を目視で観察し、下記基準に基づいて液安定性を評価した。
○：均一で分離がない。
△：均一だがやや濁りが見られる。
×：分離または析出が見られる。
【００４２】
＜起泡性及び消泡性の評価方法＞
各例の液体洗浄剤０．２５ｇを、２５℃に調温した水道水１００ｍＬに溶解して洗浄液とした。洗浄液２０ｍＬをエプトン管に入れ、エプトン管を手で１ストローク／秒で２０回振盪した。
エプトン管の振盪が終了した直後及び５分後に、それぞれの泡の量（ｍＬ；泡と洗浄液との境界から、泡の上端面までの体積）をエプトン管の目盛で読み取った。
泡の量を指標とし、下記の評価基準に基づいて評価した。直後の泡の量が多いほど起泡性に優れ、５分後の泡の量が少ないほど消泡性に優れることを意味する。
（起泡性の評価基準）
◎：直後の泡の量が２０ｍＬ以上。
○：直後の泡の量が１６ｍＬ以上、２０ｍＬ未満。
△：直後の泡の量が１３ｍＬ以上、１６ｍＬ未満。
×：直後の泡の量が１３ｍＬ未満。
（消泡性の評価基準）
◎：５分後の泡の量が１０ｍＬ未満。
○：５分後の泡の量が１０ｍＬ以上、１５ｍＬ未満。
△：５分後の泡の量が１５ｍＬ以上、２０ｍＬ未満。
×：５分後の泡の量が２０ｍＬ以上。
【００４３】
【表１】
2019099680.tif 000002
【００４４】
【表２】
2019099680.tif 000003
【００４５】
実施例１〜１１はいずれも、消泡性及び液安定性に優れていた。起泡性にも優れていた。
（Ｂ）成分を含まない比較例１は、消泡性が劣っていた。
（Ｂ）成分の含有量が多すぎる比較例２は液安定性が劣っていた。
（Ｂ）成分の代わりに、ＢＯを含まないポリオキシアルキレン型ノニオン界面活性剤を用いた比較例３は消泡性が劣っていた。
（Ｂ）成分の代わりに、シリコーン系消泡剤を用いた比較例４は液安定性および起泡性が劣っていた。
特に、実施例１、７、比較例１を比べると、（Ｂ）成分と（Ｃ）成分の相乗効果により消泡性が顕著に向上することがわかる。